(57)【特許請求の範囲】
【請求項１】
間隔を置いて配置される床梁間に設置される断熱材を支持する断熱材の支持構造であって、
前記断熱材を設置する側が開放された前記床梁の上面に載せる載置面部と、
その載置面部の前記断熱材を設置する側の縁部から垂下されて前記床梁の内側に凹部が形成されるように折り曲げられる曲折部と、
その曲折部から前記断熱材を設置する側に水平に延設される受け部とを備え、
前記床梁が溝形鋼材によって形成されることを特徴とする断熱材の支持構造。
【請求項２】
前記曲折部と前記受け部との内角側に、複数の補強リブが間隔を置いて設けられることを特徴とする請求項１に記載の断熱材の支持構造。
【請求項３】
前記受け部の上面に上方に向けて突出する爪部が設けられることを特徴とする請求項１又は２に記載の断熱材の支持構造。
【請求項４】
前記載置面部と前記床梁の上面とを接合する連結材を備えたことを特徴とする請求項１乃至３のいずれか一項に記載の断熱材の支持構造。
【請求項５】
間隔を置いて配置される床梁間に設置される断熱材を支持する断熱材の支持金具であって、前記断熱材を設置する側が開放された前記床梁の上面に載せる載置面部と、その載置面部の前記断熱材を設置する側の縁部から垂下されて前記床梁の内側に凹部が形成されるように折り曲げられる曲折部と、その曲折部から前記断熱材を設置する側に水平に延設される受け部とを備えた断熱材の支持金具を使用して構築される床構造であって、
少なくとも１本の床梁が前記断熱材を設置する側が開放側となるように配置されており、その床梁に前記支持金具を取り付けて前記断熱材の端部を支持させることを特徴とする床構造。
【請求項６】
請求項５に記載の床構造を備えたことを特徴とする建物。
【発明の詳細な説明】
【技術分野】
【０００１】
本発明は、床板の下面側に設置される断熱材を支持させるための断熱材の支持金具、それを使用した床構造及び建物に関するものである。
【背景技術】
【０００２】
特許文献１，２に開示されているように、建物の床部の断熱性能を確保するために、床板の下面側にウレタンフォーム等の板状に形成された断熱材を設置する床構造が知られている。
【０００３】
この特許文献１，２には、断熱材の端部を支持させるために床梁や床小梁に取り付けられる支持金具が開示されている。特許文献１に開示された支持金具は、Ω状に成形されており、床小梁の両側に設置される断熱材のそれぞれの端部を支持させることができる。
【０００４】
また、特許文献２には、一枚の薄板を折り曲げ加工することによって、断熱材の中間部に挿入される部位と断熱材の表面を押さえる部位とが形成される断熱材の取り付け用治具が開示されている。
【先行技術文献】
【特許文献】
【０００５】
【特許文献１】特開２００１−１１５５７４号公報
【特許文献２】特開２００１−４０７９３号公報
【発明の概要】
【発明が解決しようとする課題】
【０００６】
しかしながら、特許文献１に開示された支持金具は、梁の片側にのみ断熱材を設置する場合には使用することができない。また、特許文献２に開示された治具は、断熱材の内部に部位を挿し込むことによって支持させる構成であるため、挿し込みが容易な素材の断熱材への適用に限定されるうえに、一度、挿し込むとやり直しがしにくいという問題がある。
【０００７】
そこで、本発明は、床梁の一方の開放側にのみ断熱材を設置するのに適した断熱材の支持金具、床構造及び建物を提供することを目的としている。
【課題を解決するための手段】
【０００８】
前記目的を達成するために、本発明の断熱材の支持金具は、間隔を置いて配置される床梁間に設置される断熱材を支持する断熱材の支持金具であって、前記断熱材を設置する側が開放された前記床梁の上面に載せる載置面部と、その載置面部の前記断熱材を設置する側の縁部から垂下されて前記床梁の内側に凹部が形成されるように折り曲げられる曲折部と、その曲折部から前記断熱材を設置する側に水平に延設される受け部とを備えたことを特徴とする。
【０００９】
ここで、前記曲折部と前記受け部との内角側に、複数の補強リブが間隔を置いて設けられる構成であってもよい。また、前記受け部の上面に上方に向けて突出する爪部が設けられる構成とすることもできる。
【００１０】
さらに、前記載置面部と前記床梁の上面とを接合する連結材を備えた構成であってもよい。また、前記床梁は溝形鋼材によって形成することができる。
【００１１】
そして、本発明の床構造は、上記断熱材の支持金具を使用して構築される床構造であって、少なくとも１本の床梁が前記断熱材を設置する側が開放側となるように配置されており、その床梁に前記支持金具を取り付けて前記断熱材の端部を支持させることを特徴とする。また、その床構造を備えたことを特徴とする建物である。
【発明の効果】
【００１２】
このように構成された本発明の断熱材の支持金具は、床梁の上面に載せる載置面部と、そこから垂下されて床梁の内側に凹部が形成されるように折り曲げられる曲折部と、曲折部から延設される受け部とを備えている。
【００１３】
このため、床梁の開放された一方の側に安定して取り付けることができる。また、曲折部によって形成される凹部にまで断熱材を配置することができるので、床梁周辺の断熱性能を高めることができる。
【００１４】
さらに、曲折部と受け部との内角側に複数の補強リブを設けることによって、断熱材の重量が作用しても受け部が傾くのを抑えることができる。また、受け部の上面に爪部を突出させることで、断熱材が受け部から滑り落ちるのを防ぐことができる。
【００１５】
そして、載置面部と床梁の上面とを連結材によって接合することで、支持金具が外れてしまうことがなくなる。また、このような支持金具は、汎用性の高い溝形鋼材によって形成された床梁に容易に取り付けることができる。
【図面の簡単な説明】
【００１６】
【図１】本発明の実施の形態の断熱材の支持金具の構成を説明する斜視図である。
【図２】支持金具を使って断熱材が設置された床構造の構成を説明する断面図である。
【図３】支持金具を使って断熱材が設置された床構造の構成を説明する平面図である。
【図４】実施例１の断熱材の支持金具の構成を説明する斜視図である。
【図５】実施例２の断熱材の支持金具の構成を説明する断面図である。
【発明を実施するための形態】
【００１７】
以下、本発明の実施の形態について図面を参照して説明する。図１は、本実施の形態の断熱材の支持金具１の構成を説明するための斜視図、図２，３は支持金具１を使って断熱材が設置された床構造２０の構成を説明する図である。
【００１８】
まず、図２，３を参照しながら床構造２０について説明する。この床構造２０は平面視長方形に形成されるものであって、図３にその一部を示すように、柱２２の下端間に差し渡される床梁２，２Ａと、長辺側の床梁２Ａ，２Ａ間に差し渡される床小梁２１と、断熱材としての下層断熱材３１及び上層断熱材３２とによって主に構成される。
【００１９】
床梁２，２Ａは、床構造２０の外縁を形成する部材で、短辺側の床梁２と長辺側の床梁２Ａとがある。これらの床梁２，２Ａは、断面視略Ｃ字形の溝形鋼材によって形成される。
【００２０】
また、長辺側の床梁２Ａ，２Ａ間には、短辺側の床梁２と平行になるように複数の床小梁２１が差し渡される。この床小梁２１は、図２に示すように角形鋼管によって形成される。また、床小梁２１は、固定金具２１ａを介して床梁２Ａに溶接等によって接合される。
【００２１】
そして、図２に示すように、床梁２は、開放側を床小梁２１側に向けて配置される。床梁２は、上フランジ２ａと、それに平行な下フランジ２ｃと、上フランジ２ａと下フランジ２ｃ間を繋ぐウエブ２ｂとによって形成されている。このウエブ２ｂは、上フランジ２ａと下フランジ２ｃの断熱材を設置する側とは反対側の縁部間を連結している。よって、床梁２の開放側が断熱材を設置する側になる。
【００２２】
この床梁２に取り付けられる支持金具１は、図１に示すように、床梁２の上フランジ２ａに載せる載置面部１１と、載置面部１１の断熱材を設置する側の縁部から垂下される曲折部１２と、曲折部１２の下縁から断熱材を設置する側に水平に延設される受け部１３と、曲折部１２と受け部１３との内角側に設けられる複数の補強リブ１４，・・・とによって主に構成される。
【００２３】
この支持金具１は、例えば１枚の長方形の鋼板を折り曲げ加工することによって形成される。載置面部１１は、上フランジ２ａの幅（床梁２の軸直交方向の長さ）と略同じ長さに形成される。
【００２４】
また、曲折部１２は、載置面部１１の縁部から垂下される上垂片１２ａと、上垂片１２ａの下縁から床梁２の内側に向けて水平に延設される水平片１２ｂと、水平片１２ｂの縁部から垂下される下垂片１２ｃとによって形成される。
【００２５】
上垂片１２ａは、上フランジ２ａの厚さの数倍の高さの壁状に形成される。また、水平片１２ｂは、上フランジ２ａの幅の半分ほどの長さに形成される。さらに、下垂片１２ｃは、下縁が断熱材の下面の位置となる高さの壁状に形成される。
【００２６】
一方、受け部１３は、下垂片１２ｃの下縁から床小梁２１に向けて上フランジ２ａの幅以上の長さに形成される。すなわち、受け部１３の先端は、床梁２から断熱材を設置する側に突出している。この突出させる長さは、断熱材を置くのに必要な幅に応じて任意に設定することができる。
【００２７】
支持金具１は、例えば、幅50mm、載置面部１１の長さを75mm、上垂片１２ａの高さを20mm、水平片１２ｂの長さを40mm、下垂片１２ｃの高さを50mm、受け部１３の長さを80mmに形成することができる。
【００２８】
そして、支持金具１の受け部１３と下垂片１２ｃと水平片１２ｂとによって、床梁２の内側に凹部が形成される。また、支持金具１の重心の位置は、後述するビス１５などの連結材によって上フランジ２ａに固定しなくても、載置面部１１を上フランジ２ａに置いただけで受け部１３が安定して水平になるような位置に設定される。
【００２９】
また、曲折部１２の下垂片１２ｃと受け部１３との内角側には、床梁２の軸方向に間隔を置いて複数の補強リブ１４，・・・が設けられる。この補強リブ１４は、鋼板などを折り曲げて側面が三角形状になるようにした部材を、下垂片１２ｃと受け部１３との入隅に溶接によって固着させることによって形成できる。
【００３０】
また、載置面部１１と床梁２の上フランジ２ａとの接合は、連結材としてのビス１５によっておこなう。このビス１５には、載置面部１１や上フランジ２ａの穿孔が可能なスクリュービスなどが使用できる。なお、上フランジ２ａには予め孔を設けておくこともできる。
【００３１】
受け部１３の上面には、図２に示すように、下層断熱材３１の端部を載せる。この下層断熱材３１は、発泡スチロール体（ＥＰＳ）等によって形成される。本実施の形態では、約25mmの厚さの下層断熱材３１の端部を、床梁２の内側、換言すると水平片１２ｂの下方まで収容させる。
【００３２】
下層断熱材３１の床小梁２１側の端部は、床小梁２１の下部に貼り付けられる被覆部３３の上端面に載せられる。この被覆部３３は、断熱材である硬質ウレタンフォーム等によって断面視略Ｕ字形に形成される。
【００３３】
また、被覆部３３は、床小梁２１の下面及び側面に接着剤等によって固定される。このように下層断熱材３１より下方に突出する床小梁２１の下部を被覆部３３で覆うことで、断熱材の連続性が確保される。
【００３４】
下層断熱材３１の上には、グラスウールやフェノール等によって形成される上層断熱材３２を載せる。例えば、約50mmの厚さの上層断熱材３２を配置する。以上のようにして断熱材が設置された床構造２０の平面図を図３に示す。
【００３５】
この図３に示すように、床梁２と床小梁２１との間には複数の枠材２３，・・・が平行に差し渡され、枠材２３，２３間には横枠２４が差し渡される。そして、枠材２３と横枠２４によって区画された隙間に上層断熱材３２が充填される。
【００３６】
なお、図３では、枠材２３，２３で区切られる１範囲に、床梁２の軸方向に間隔を置いて２箇所ずつ支持金具１，１を取り付けたが、これに限定されるものではなく、支持金具１を使用する数は任意に設定することができる。
【００３７】
次に、本実施の形態の断熱材の支持金具１、それを使った床構造２０及び建物の作用について説明する。
【００３８】
このように構成された本実施の形態の断熱材の支持金具１は、床梁２の上フランジ２ａに載せる載置面部１１と、そこから垂下されて床梁２の内側に凹部が形成されるように折り曲げられる曲折部１２と、曲折部１２から延設される受け部１３とを備えている。
【００３９】
この曲折部１２が振り子の錘のような役割を果たすため、床梁２に安定して吊り下げることができる。また、床構造２０の外縁に配置され、内側にのみ断熱材を設置すればよい床梁２にも、本実施の形態の支持金具１は適用することができる。
【００４０】
さらに、曲折部１２と受け部１３とによって形成される凹部にまで断熱材を配置することができるので、床梁２周辺の断熱性能を高めることができる。また、下垂片１２ｃの高さと凹部の中に収容させる断熱材の高さが近似していれば、断熱材の端部が受け部１３と水平片１２ｂとに挟まれることになって滑り落ちにくくなる。
【００４１】
さらに、曲折部１２の下垂片１２ｃと受け部１３との内角側に複数の補強リブ１４，・・・を設けることによって、断熱材の重量が作用しても受け部１３の断熱材側が下がって傾くのを抑えることができる。このように受け部１３が傾かなければ、断熱材が受け部１３から滑り落ちる事態には成りにくい。
【００４２】
そして、載置面部１１と床梁２の上フランジ２ａとをビス１５によって接合することで、支持金具１が外れてしまうことがなくなる。また、本実施の形態の支持金具１は、汎用性の高い溝形鋼材によって形成された床梁２に容易に取り付けることができる。
【実施例１】
【００４３】
以下、前記した実施の形態の断熱材の支持金具１とは別の形態の実施例１の支持金具１Ａについて、図４を参照しながら説明する。なお、前記実施の形態で説明した内容と同一乃至均等な部分の説明については、同一用語又は同一符号を用いて説明する。
【００４４】
この実施例１で説明する支持金具１Ａは、床梁２の上フランジ２ａに載せる載置面部１１と、載置面部１１の断熱材を設置する側の縁部から垂下される曲折部１２と、曲折部１２の下縁から断熱材を設置する側に水平に延設される受け部１３と、曲折部１２と受け部１３との内角側に設けられる複数の補強リブ１４，・・・と、受け部１３の先端に設けられる複数の爪部１６，・・・とによって主に構成される。すなわち、爪部１６が設けられる点が、上記実施の形態の支持金具１と異なる点である。
【００４５】
この爪部１６は、受け部１３の上面から上方に向けて突出するように形成される。爪部１６は、例えば三角形板状の部材を受け部１３の上面に溶接等によって固着させることによって形成できる。
【００４６】
爪部１６は、上部が鋭角に形成されており、下層断熱材３１の下面に突き刺したり、引っ掛けさせたりすることができる。この実施例１では、受け部１３の縁部に沿って爪部１６，・・・を設けたが、爪部１６を設ける位置はこの位置に限定されるものではなく、受け部１３の上面の任意の位置に爪部１６を設けることができる。
【００４７】
このように受け部１３の上面に爪部１６，・・・を突出させることで、下層断熱材３１が受け部１３から滑り落ちるのを防ぐことができる。
【００４８】
なお、他の構成及び作用効果については、前記実施の形態と略同様であるので説明を省略する。
【実施例２】
【００４９】
以下、前記した実施の形態及び実施例１の断熱材の支持金具１，１Ａとは別の形態の実施例２の支持金具５について、図５を参照しながら説明する。なお、前記実施の形態又は実施例１で説明した内容と同一乃至均等な部分の説明については、同一用語又は同一符号を用いて説明する。
【００５０】
この実施例２で説明する支持金具５は、前記実施の形態で説明した床梁２よりも幅の狭い溝形鋼材によって形成される床梁６に取り付けられる。すなわち、この床梁６は、上記した床梁２よりも幅の狭い上フランジ６ａと下フランジ６ｃとがウエブ６ｂによって連結されることによって断面視略Ｃ字形に成形される。
【００５１】
支持金具５は、床梁６の上フランジ６ａに載せる載置面部５１と、載置面部５１の断熱材を設置する側の縁部から垂下される曲折部５２と、曲折部５２の下縁から断熱材を設置する側に水平に延設される受け部５３と、曲折部５２と受け部５３との内角側に設けられる複数の補強リブ５４，・・・と、載置面部５１を上フランジ６ａに接合する連結材としてのビス５５とによって主に構成される。
【００５２】
また、曲折部５２は、載置面部５１の縁部から垂下される上垂片５２ａと、上垂片５２ａの下縁から床梁６の内側に向けて水平に延設される水平片５２ｂと、水平片５２ｂの縁部から垂下される下垂片５２ｃとによって形成される。
【００５３】
上垂片５２ａは、上フランジ６ａの厚さの数倍の高さの壁状に形成される。また、水平片５２ｂは、上フランジ６ａの幅の１／３ほどの長さに形成される。さらに、下垂片５２ｃは、下縁が断熱材の下面の位置となる高さの壁状に形成される。
【００５４】
支持金具５は、例えば、載置面部１１の長さを50mm、上垂片１２ａの高さを20mm、水平片１２ｂの長さを17mm、下垂片１２ｃの高さを60mm、受け部１３の長さを80mmに形成することができる。
【００５５】
このように、取り付ける床梁６の形状に合わせてバランスの取り易い形状に支持金具５を成形すればよい。なお、他の構成及び作用効果については、前記実施の形態又は実施例１と略同様であるので説明を省略する。
【００５６】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００５７】
例えば、前記実施の形態及び実施例では、溝形鋼材によって床梁２，６を形成したが、これに限定されるものではなく、少なくとも一方の側部が開放されたＨ形鋼材や複数の鋼板を溶接等によって接合した部材を床梁２，６にすることができる。
【００５８】
また、前記実施の形態では、下層断熱材３１を床梁２の内側に至るまで配置したが、これに限定されるものではない。
【符号の説明】
【００５９】
１，１Ａ        支持金具
１１            載置面部
１２            曲折部
１３            受け部
１４            補強リブ
１５            ビス（連結材）
１６            爪部
２，２Ａ        床梁
２０            床構造
２ａ            上フランジ（上面）
３１            下層断熱材（断熱材）
３２            上層断熱材（断熱材）
５              支持金具
５１            載置面部
５２            曲折部
５３            受け部
５４            補強リブ
５５            ビス（連結材）
６              床梁
６ａ            上フランジ（上面）
【図１】
0005866166.tif 000002
【図２】
0005866166.tif 000003
【図３】
0005866166.tif 000004
【図４】
0005866166.tif 000005
【図５】
0005866166.tif 000006